(57)【要約】      （修正有）【課題】プレストレスド鋼索によりコンクリート部材を補強するための装置に関し、特に、プレストレスド鋼索固定装置を提供する。【解決手段】固定板１の端部４に１〜１００個の固定溝２を形成し、これらの固定溝２の外側に狭溝５を形成し、鋼索固定結び目３を鋼索６の両端部に拵え、また、コンクリート部材を補強する場合、補強されるコンクリート部材の形状や施工環境に応じて適当な固定板をその上に固定させ、上記鋼索６の両端部における鋼索固定結び目３を固定板１での固定溝２内に嵌め込み、鋼索固定結び目３の内側の鋼索を狭溝５内に嵌め込むように構成される。固定板が多様な構成を有するので、コンクリート部材の補強工事が容易に実施され、補強品質が保証され、且つコストが低減される。【選択図】図１
0003154630.tif 000002
【実用新案登録請求の範囲】
【請求項１】
固定板と、鋼索と、固定結び目とからなるプレストレスド鋼索固定装置において、固定板（１）での固定溝（２）内に鋼索固定結び目（３）が嵌め込まれ、２つの鋼索固定結び目（３）の内側の端部の鋼索が狭溝（５）内に嵌め込まれることを特徴とするプレストレスド鋼索固定装置。
【請求項２】
固定板（１）の前端部（４）に１〜１００個の固定溝（２）が形成され、固定溝（２）の外側に狭溝（５）が形成され、また、固定溝（２）の下側におけるアンカーボルト領域に凹溝（１５）が形成され、固定板の下端に直角形状の凹溝（１６）が形成されることを特徴とする請求項１に記載のプレストレスド鋼索固定装置。
【請求項３】
鋼索固定結び目（３）が鋼索（６）の両端部に拵えられることを特徴とする請求項１に記載のプレストレスド鋼索固定装置。
【請求項４】
固定板（１）の両側に垂直板（８）が固定されて、「凹」字形の固定板（９）が形成されることを特徴とする請求項１又は２に記載のプレストレスド鋼索固定装置。
【請求項５】
固定板（１）を直角形状にしたＩ型直角固定板（１１）は、その一端のみに固定溝（２）及び狭溝（５）を有することを特徴とする請求項１又は２に記載のプレストレスド鋼索固定装置。
【請求項６】
固定板（１）を直角形状にしたＩＩ型直角固定板（１３）は、その両端に固定溝（２）及び狭溝（５）を有することを特徴とする請求項１又は２に記載のプレストレスド鋼索固定装置。
【請求項７】
固定板（１）を円弧形状にした円弧形状固定板（１４）は、その両端に固定溝（２）及び狭溝（５）を有することを特徴とする請求項１又は２に記載のプレストレスド鋼索固定装置。
【考案の詳細な説明】
【技術分野】
【０００１】
本考案はプレストレスド鋼索によりコンクリート部材を補強するための装置に関し、特に、プレストレスド鋼索固定装置に関する。
【背景技術】
【０００２】
現在、中国では建物のコンクリート部材を補強する改造修復業が迅速に発展しており、特に２００８年５月１２日に四川▲ぶん▼川で地震が発生した後、この事業が全国各地で非常に重要視されるようになった。現在、補強改造が切実に必要な建物が大量に存在している。その補強の手段としては、断面の拡大、鋼材の接合、繊維複合材の貼り合せ、鋼撚り線網、外部プレストレス力の利用などがあるが、それぞれ、工事が複雑、コストが高い、硬度の向上が著しくないなどの欠点がある。実験と実用により、プレストレスド鋼索による補強手段が建物の補強技術の要求に満たすことが認められた。
【考案の概要】
【考案が解決しようとする課題】
【０００３】
本考案は、従来の技術の欠点を解消するために、プレストレスド鋼索により補強する場合に使用されるプレストレスド鋼索固定装置を提供することを目的とする。
【課題を解決するための手段】
【０００４】
本考案の目的は、下記のような手法で達成される。
（１）固定板１での固定溝２内に鋼索固定結び目３が嵌め込まれ、２つの鋼索固定結び目３の内側の端部の鋼索が狭溝５内に嵌め込まれる。固定板１の端部４に１〜１００個の固定溝２が形成され、固定溝２の外側に狭溝５が形成され、鋼索固定結び目３が鋼索６の両端部に拵えられる。
（２）固定板１の両側に垂直板８が固定されて、「凹」字形の固定板９が形成される。
（３）固定板を直角形状にしてＩ型直角固定板１１が形成される。
（４）固定板を直角形状にしてＩＩ型垂直固定板１３が形成される。
（５）固定板を円弧形状にして円弧形状の固定板１４が形成される。
【考案の効果】
【０００５】
建物のコンクリート部材に対する補強工事において、本考案に係るプレストレスド鋼索固定装置により鋼索を固定させると、工事が容易に実施され、補強品質が確保され、コストが低減される。
【図面の簡単な説明】
【０００６】
【図１】梁の補強のために本考案を適用する実施形態を示す図である。
【図２】図１のＡ方向矢視図である。
【図３】固定板の構成を示す図である。
【図４】図３のＢ方向から見る部分断面図である。
【図５】「凹」字形の固定板の構成を示す図である。
【図６】図５のＣ方向矢視図である。
【図７】梁の補強のために「凹」字形の固定板を適用する実施形態を示す図である。
【図８】Ｉ型直角固定板を示す正面図である。
【図９】図８のＤ方向矢視図である。
【図１０】梁の補強のためにＩ型直角固定板を適用する実施形態を示す図である。
【図１１】ＩＩ型直角固定板を示す正面図である。
【図１２】図１１のＥ方向矢視図である。
【図１３】四辺形のコンクリート部材の四周が補強される様子を示す図である。
【図１４】円弧形状の固定板を示す正面図である。
【図１５】図１４のＦ方向矢視図である。
【図１６】固定板のアンカーボルト領域に形成される１５と、下端に形成される直角形状の凹溝１６の正面図である
【図１７】図１６のＧ方向矢視図である。
【図１８】固定板のアンカーボルト領域に形成される凹溝１５の正面図である。
【図１９】図１８のＨ方向矢視図である。
【図２０】固定板の下端に形成される直角形状の凹溝１６の正面図である。
【図２１】図２０のＬ方向矢視図である。
【考案を実施するための形態】
【０００７】
添付図面を参照して実施形態を説明する。
【実施例１】
【０００８】
図１及び図２に示すように、補強される方形梁の下側を補強する場合、方形梁の下側の両端に固定板１を取り付け、鋼索６の両端部に拵えられた鋼索固定結び目３をそれぞれ固定板１での固定溝２内に嵌め込み、２つの鋼索固定結び目３の内側の端部の鋼索を狭溝５内に嵌め込む。
図３及び図４に示すように、固定板１の端部４に１〜１００個の固定溝２が形成され、固定溝２の外側に狭溝５が形成される。
図１６及び図１７に示すように、固定溝２の下側におけるアンカーボルト領域に凹溝１５が形成され、固定板の下端に直角形状の凹溝１６が形成される。
固定板アンカーボルト領域でのアンカーボルトのヘッドが外に露出されていないので、補強済みのコンクリート部材は見掛けが良く、材料を無駄にすることなくコストが節減され、設計の要求を満たすとともに、プレストレスド鋼索引締装置も容易に取り付けられる。
図１８及び図１９に示すように、固定溝２の下側におけるアンカーボルト領域に凹溝１５が形成される。
固定板のアンカーボルト領域でのアンカーボルトのヘッドが外に露出されていないので、補強済みのコンクリート部材は見掛けが良く、材料を無駄にすることなくコストが節減され、設計の要求に満たす。
図２０及び図２１に示すように、固定板の下端に直角形状の凹溝１６が形成される。
プレストレスド鋼索引締装置が容易に取り付けられる。
【実施例２】
【０００９】
図５、図６及び図７に示すように、補強される梁の下側の両端に固定板１を配置しにくい場合、垂直板８を固定板１の両側に固定させて「凹」字形の固定板９が形成され、垂直板８が梁の両側面に固定され、「凹」字形の固定板９が補強される梁の下側に取り付けられ、また鋼索６の両端部に拵えられた鋼索固定結び目３をそれぞれ「凹」字形の固定板９での固定溝２内に嵌め込み、２つの鋼索固定結び目３の内側の端部における鋼索を狭溝５内に嵌め込む。
【実施例３】
【００１０】
図８、図９及び図１０に示すように、補強される梁の下側の両端に固定板１を配置しにくい場合、固定板をその一端に固定溝２及び狭溝５を有する直角形板にして、Ｉ型直角固定板１１が形成され、２つのＩ型直角固定板１１のうちの固定溝２及び狭溝５がない板をそれぞれ２つの立柱に固定させることにより、Ｉ型直角固定板１１を補強される梁の下側に取り付け、鋼索６の両端部に拵えられた鋼索固定結び目３をそれぞれＩ型直角固定板１１での固定溝２内に嵌め込み、２つの鋼索固定結び目３の内側の端部の鋼索を狭溝５内に嵌め込む。
【実施例４】
【００１１】
図１１、図１２及び図１３に示すように、四辺形のコンクリート部材の四面が補強されるように、四面において軸線に直交する方向にプレストレスド鋼索を配置する場合、固定板をその両端に固定溝２及び狭溝５を有する直角形状にして、ＩＩ型垂直固定板１３が形成され、このＩＩ型垂直固定板１３を四辺形のコンクリート部材の４つの角部に固定させて、鋼索６の両端部に拵えられた鋼索固定結び目３をそれぞれＩＩ型直角固定板１３での固定溝２内に嵌め込み、２つの鋼索固定結び目３の内側の端部の鋼索を狭溝５内に嵌め込む。
【実施例５】
【００１２】
図１４及び図１５に示すように、円形のコンクリート部材はその周方向に沿ってプレストレスド鋼索を配置することにより補強されようとする場合、固定板を補強される円形コンクリート部材に対応する円弧形状にして、円弧形状の固定板１４が形成され、またその両端に固定溝２及び狭溝５が形成され、円弧形状の固定板１４を補強される円形コンクリート部材に固定させ、鋼索６の両端部に拵えられた鋼索固定結び目３をそれぞれ円弧形状の固定板１４での固定溝２内に嵌め込み、２つの鋼索固定結び目３の内側の端部の鋼索を狭溝５内に嵌め込む。
【符号の説明】
【００１３】
１  固定板
２  固定溝
３  鋼索固定結び目
４  前端部
５  狭溝
６  鋼索
８  垂直板
９  「凹」字形の固定板
１１  Ｉ型直角固定
１３  ＩＩ型直角固定板
１４  円弧形状の固定板
１５  アンカーボルト領域
１６  固定板下端の直角形状凹溝
【図１】
0003154630.tif 000003
【図２】
0003154630.tif 000004
【図３】
0003154630.tif 000005
【図４】
0003154630.tif 000006
【図５】
0003154630.tif 000007
【図６】
0003154630.tif 000008
【図７】
0003154630.tif 000009
【図８】
0003154630.tif 000010
【図９】
0003154630.tif 000011
【図１０】
0003154630.tif 000012
【図１１】
0003154630.tif 000013
【図１２】
0003154630.tif 000014
【図１３】
0003154630.tif 000015
【図１４】
0003154630.tif 000016
【図１５】
0003154630.tif 000017
【図１６】
0003154630.tif 000018
【図１７】
0003154630.tif 000019
【図１８】
0003154630.tif 000020
【図１９】
0003154630.tif 000021
【図２０】
0003154630.tif 000022
【図２１】
0003154630.tif 000023